(57)【要約】【課題】洗浄庫２への給水は給水管３に設けられた給水弁３１が開弁することにより行われる。そして、給水弁３１が閉弁すると洗浄庫２への給水が停止される。ところが、給水弁３１の止水性がゴミ咬み等で損なわれると給水弁３１が閉弁していても水道水が洗浄庫２へ漏水する。洗浄庫２から排水されないと漏水した水は洗浄庫２から外部へとあふれ出てしまう。【解決手段】給水弁３１と洗浄庫２との間の分岐部３ａと排水管４とを接続するバイパス路３ｂを設け、更にこの分岐部３ａに三方弁５を設け、洗浄庫２に給水する必要のない場合には適宜給水弁３１を通った水が排水管４へ導かれるように切り替えて、給水弁３１の止水性が損なわれても、漏水が洗浄庫２ではなく排水管４に導かれるようにした。【選択図】  図１
2008136698.tif 000002
【特許請求の範囲】
【請求項１】
食器を格納することができる洗浄庫を備え、その洗浄庫に外部からの水道水を給水する給水管と、洗浄庫内の排水を行う排水管とが設けられており、給水管に開閉式の給水弁が取り付けられた食器洗浄装置において、上記給水管の一部であって、給水弁と洗浄庫との間に位置する分岐部と排水管とを接続するバイパス路を設け、この分岐部に、給水弁を通過した水道水を洗浄庫と排水管とのいずれか一方に択一的に導く三方弁を取り付けたことを特徴とする食器洗浄装置。
【請求項２】
上記三方弁は、食器洗浄装置の電源がオンの状態では常に洗浄庫側に切り替えられ、電源がオフの状態では排水管側に切り替えられることを特徴とする請求項１に記載の食器洗浄装置。
【請求項３】
上記三方弁は給水弁の開閉に対応して、給水弁の開弁時には洗浄庫側に切り替わり、給水弁が閉弁時には排水管側に切り替わることを特徴とする請求項１に記載の食器洗浄装置。
【請求項４】
上記三方弁は、食器洗浄装置へ通電されている状態では洗浄庫側に切り替わっており、通電が停止すると排水管側に切り替わることを特徴とする請求項１に記載の食器洗浄装置。
【発明の詳細な説明】
【技術分野】
【０００１】
本発明は、食器を格納することができる洗浄庫を備え、その洗浄庫に外部からの水道水を給水する給水管と、洗浄庫内の排水を行う排水管とが設けられており、給水管に開閉式の給水弁が取り付けられた食器洗浄装置に関する。
【背景技術】
【０００２】
上述のような食器洗浄装置（例えば、特許文献１）では、開閉弁の１次側には水道管内の水圧が作用する。この水圧は０．１〜１ＭＰａ程度であり、開閉弁にはそのような水圧が作用しても閉弁状態では完全に止水することが要求される。
【０００３】
例えば新築のマンションにこのような食器洗浄装置が設置されると、入居前に食器洗浄装置の試運転が行われる。この試運転は、例えば食器洗浄装置に試運転モードが設けられている場合にはその試運転モードに従った運転が行われる。また、試運転モードが設けられていない場合では実際に食器洗浄モードで運転が行われる。
【０００４】
いずれのモードであっても、開閉弁が開弁されて洗浄庫内に実際に水道水が給水され、更に給水された水は洗浄庫内から排水される。そして、このような作動テストが行われて正常に作動しているようであれば電源がオフにされ、次に入居者が電源を投入するまで稼働しない状態が継続する。
【特許文献１】特開２００６−２４７０１３号公報（図２）
【発明の開示】
【発明が解決しようとする課題】
【０００５】
上述のように新築の場合には特に水道管の配管中に配管工事時に生じたゴミなどが残っている場合があり、上記試運転等を行った際に、最後に開閉弁が閉弁する際に、開閉弁の弁体と弁座との間にごみ等が挟まってしまう場合が生じる。
【０００６】
このようなゴミは小さい場合が多いため、ゴミを挟んだために生じる止水不良が軽微なものとなり、試運転終了後に目視等により止水不良を発見することは極めて難しい。そして、止水不良が生じると、開閉弁が閉弁しているにもかかわらず、少量ずつ水道水が洗浄庫内に漏出する。ただし、食器洗浄装置に電源が投入されておれば、洗浄庫内に一定量以上の水が溜まったことを自動的に検知した時に排水ポンプを作動させて排水を行うので、それほど大きな不具合となることはない。
【０００７】
しかし、上述のように新築の場合であれば、食器洗浄装置の作動テストが行われたあとは、配電盤のブレーカがオフにされるなどして食器洗浄装置への電源供給が全くされない状態になる。この際、水道の止水栓も閉められておればよいが、止水栓が閉められていなければ、開閉弁から漏出した水道水は洗浄庫内に溜まり、排水されることなく洗浄庫からあふれることになる。
【０００８】
作動テストから入居まで日数が長いと、その間継続して洗浄庫からの漏出が続くため、その部屋のみならず階下にまで漏出の被害が及ぶ場合も考えられる。
【０００９】
そこで本発明は、上記の問題点に鑑み、このような不具合が生じない食器洗浄装置を提供することを課題とする。
【課題を解決するための手段】
【００１０】
上記課題を解決するために本発明による食器洗浄装置は、食器を格納することができる洗浄庫を備え、その洗浄庫に外部からの水道水を給水する給水管と、洗浄庫内の排水を行う排水管とが設けられており、給水管に開閉式の給水弁が取り付けられた食器洗浄装置において、上記給水管の一部であって、給水弁と洗浄庫との間に位置する分岐部と排水管とを接続するバイパス路を設け、この分岐部に、給水弁を通過した水道水を洗浄庫と排水管とのいずれか一方に択一的に導く三方弁を取り付けたことを特徴とする。
【００１１】
上記構成によれば、食器洗浄を行う場合には三方弁を洗浄庫側に切り替え、開閉弁を通過した水道水を洗浄庫へ導き給水する。食器洗浄を行わない場合には三方弁を排水管側に切り替えておけば、開閉弁が完全に止水できなくても開閉弁から送出した水はバイパス路を介して洗浄庫ではなく排水管へと導かれる。
【００１２】
なお、上記三方弁は、食器洗浄装置の電源がオンの状態では常に洗浄庫側に切り替えられ、電源がオフの状態では排水管側に切り替えられるように作動させてもよい。
【００１３】
あるいは、上記三方弁は給水弁の開閉に対応して、給水弁の開弁時には洗浄庫側に切り替わり、給水弁が閉弁時には排水管側に切り替わるように作動させてもよい。
【００１４】
さらには、上記三方弁は、食器洗浄装置へ通電されている状態では洗浄庫側に切り替わっており、通電が停止すると排水管側に切り替わるように作動させてもよい。
【発明の効果】
【００１５】
以上の説明から明らかなように、本発明は、開閉弁に止水不良が生じた状態になっても、開閉弁から漏出した水が洗浄庫からあふれることがなく、例えば試運転から次に電源が投入されるまでの間が長期間に及んでも、食器洗浄装置からの漏水事故を防止することができる。
【発明を実施するための最良の形態】
【００１６】
図１を参照して、１は本発明による食器洗浄装置である。このタイプは内蔵する洗浄庫２に上方から食器を出し入れするものであり、システムキッチンに備え付けられた状態で洗浄庫２が手前側に引き出される。
【００１７】
洗浄庫２の後方には水道水を洗浄庫２内へ給水するための給水管３が接続されている。そして、この給水管３の途中には開閉弁である給水弁３１が取り付けられている。この給水弁３１は外部からの通電のオンオフにより開閉するものであり、ソレノイドコイルによって進退するプランジャの先端に弁体が設けられ、その弁体が弁座に着座することにより閉弁するタイプのものである。したがって、洗浄庫２内の食器を洗浄する際には給水弁３１が開弁して水道水が洗浄庫２内に給水される。
【００１８】
一定量の水道水が洗浄庫２内に給水されると給水弁３１は閉弁する。その後洗浄庫２内の食器の洗浄が終了すると、排水ポンプ２１が作動して洗浄庫２内の汚水を排水する。この排水は排水管４を介して行われる。排水管４の先端には排水トラップ４１が設けられており、排水集合管（図示せず）から洗浄庫２への臭気や昆虫の侵入を防止している。
【００１９】
本発明では、給水管３の一部であって給水弁３１と洗浄庫２とに挟まれた位置である分岐部３ａと排水管４とを接続するバイパス路３ｂを設け、この分岐部３ａに三方弁５を取り付けた。この三方弁５は給水弁３１を通過した水道水を２方向へ択一的に導くものであり、一方を洗浄庫２とし、他方を排水管４とした。なお、バイパス路３ｂには大気開放機能付きの逆止弁５１を設け、排水管４側から給水管３側へ汚水が進入しないようにした。
【００２０】
上記構成において、食器洗浄装置１の電源がオンになると、三方弁５は給水弁３１を通過した水道水を洗浄庫２に導く状態になり、万一給水弁３１の止水不良が生じると、給水弁３１からの漏水は洗浄庫２内に溜まり、その溜まった水量が一定量以上であると検出されると排水ポンプ２１が作動して自動排水する。そして、電源がオフになるまでその状態を保持するようにした。なお、電源がオフになると三方弁５は排水管４側に切り替えられ、次に電源がオンされるまでその状態を保持するようにした。この電源のオフ状態とは、電源スイッチがオフされた状態であり、食器洗浄装置１への電力は供給された状態を意味する。
【００２１】
なお、三方弁５の切り替えはこのような作動に限定されるものではなく、例えば給水弁３１の開閉に連動して、給水弁３１が開弁する際には洗浄庫２側に切り替えられ、洗浄作動中であっても給水弁３１が閉弁すれば三方弁５は排水管４側に切り替えられるようにしてもよい。
【００２２】
あるいは、電源スイッチのオンオフではなく、食器洗浄装置１への電力の供給に連動して、電源スイッチがオフであっても食器洗浄装置１に電力が供給されていれば三方弁５を洗浄庫２側に切り替え、電力の供給が停止すれば三方弁５を排水管４側に切り替わるようにしてもよい。なお、その際には給水弁３１は、通電されることにより開弁し、通電が停止すると内蔵するバネでプランジャが押されて閉弁するタイプのものを用いる。
【００２３】
なお、本発明は上記した形態に限定されるものではなく、本発明の要旨を逸脱しない範囲内において種々の変更を加えてもかまわない。
【図面の簡単な説明】
【００２４】
【図１】本発明の一実施の形態の構成を示す図
【符号の説明】
【００２５】
１  食器洗浄装置
２  洗浄庫
３  給水管
４  排水管
５  三方弁
２１  排水ポンプ
３１  給水弁
４１  排水トラップ
５１  逆止弁
３ａ  分岐部
３ｂ  バイパス路
【図１】
2008136698.tif 000003